(57)【特許請求の範囲】
【請求項１】
枠体と、この枠体の上面に固定された表面材と、を備える床パネルが、固定部材によって支持材の上面に固定された床パネルの固定構造であって、
四枚の前記床パネルが、前記支持材の上面に、互いに隣り合って角部が寄り集まった状態となるように、かつ平面視十字状に隙間を空けた状態で並べられて配置されており、
前記固定部材は、四方に伸びる押さえ部を備えて平面視十字状に形成され、前記押さえ部は、前記隙間に挿入可能な幅寸法に設定されており、
前記枠体は、前記床パネルの前記角部を構成する四角筒状の第一枠材を有しており、
前記四枚の床パネルにおける前記角部が寄り集まった位置には、前記隙間から挿入された前記固定部材が回転可能な回転スペースと、前記固定部材の回転動作を止めるストッパーと、が設けられており、
前記回転スペース内で回転して前記ストッパーに接した状態の前記固定部材は、平面視において前記隙間に対して斜め向きになった状態で、かつ前記押さえ部と前記支持材との間に前記第一枠材の底板部を介在させた状態で、固定具によって前記支持材に固定されていることを特徴とする床パネルの固定構造。
【請求項２】
請求項１に記載の床パネルの固定構造において、
前記第一枠材は、
前記固定部材の前記押さえ部によって前記支持材に押さえ付けられる前記底板部と、
前記表面材に接する天板部と、
前記枠体の外周面を構成する第一側壁と、
前記枠体の内周面を構成する第二側壁と、
当該第一枠材の内部中空部における前記第一側壁と前記第二側壁との間に位置する中間壁と、を備えており、
前記第一枠材の長さ方向における第一端部において、
前記第一側壁の端部は、前記回転スペースの確保に必要な分だけ、前記第一枠材の端面から離間して配置されており、
前記中間壁の端部は、前記ストッパーとして機能しており、
前記第一枠材の長さ方向における第二端部において、
前記第一側壁の端部は、前記回転スペースの確保に必要な分だけ、および／または、前記ストッパーとして機能するために必要な分だけ、前記第一枠材の端面から離間して配置されており、
前記中間壁の端部は、前記回転スペース確保に必要な分だけ、前記第一枠材の端面から離間して配置されていることを特徴とする床パネルの固定構造。
【請求項３】
請求項２に記載の床パネルの固定構造において、
前記床パネルは、平面視四角形状に形成されており、
前記枠体は、平行する一対の前記第一枠材と、これら一対の第一枠材における長さ方向両端部間に設けられる一対の第二枠材と、を有して四角枠状に形成されており、
前記一対の第一枠材のうち一方の前記第一枠材における前記第一端部と、他方の前記第一枠材における前記第一端部とが、前記枠体における対角線上に位置していることを特徴とする床パネルの固定構造。
【請求項４】
請求項２または３に記載の床パネルの固定構造において、
前記四枚の床パネルは、前記第一枠材の前記第一端部によって構成された前記角部同士が寄り集まった状態となるように配置されていることを特徴とする床パネルの固定構造。
【請求項５】
請求項２または３に記載の床パネルの固定構造において、
前記四枚の床パネルは、前記第一枠材の前記第二端部によって構成された前記角部同士が寄り集まった状態となるように配置されていることを特徴とする床パネルの固定構造。
【請求項６】
請求項２または３に記載の床パネルの固定構造において、
前記四枚の床パネルは、前記第一枠材の前記第一端部によって構成された前記角部と、前記第一枠材の前記第二端部によって構成された前記角部とが交互に隣り合って寄り集まった状態となるように配置されており、
前記第一枠材の前記第一端部における前記中間壁の端部が、前記固定部材の回転動作のストッパーとして機能していることを特徴とする床パネルの固定構造。
【請求項７】
請求項１〜６のいずれか一項に記載の床パネルの固定構造において、
前記固定部材は、前記回転スペースにおいて時計回りに回転可能であり、
前記固定具は、前記固定部材の中心軸を貫通して前記支持材に固定されていることを特徴とする床パネルの固定構造。
【請求項８】
請求項１〜７のいずれか一項に記載の床パネルの固定構造を施工する方法であって、
前記四枚の床パネルを、前記支持材の上面に、互いに隣り合って角部が寄り集まった状態となるように、かつ平面視十字状に隙間を空けた状態で並べて配置した後に、
前記固定部材を、前記平面視十字状の隙間から挿入し、
前記第一枠材に確保された前記回転スペースで前記固定部材を、前記ストッパーに接してその回転動作が止まるまで回転させることによって、前記固定部材を、平面視において前記隙間に対して斜め向きになった状態にし、
前記固定部材の前記押さえ部を前記底板部に載せた後に、前記固定部材を前記固定具によって前記支持材に固定することを特徴とする床パネルの固定方法。
【発明の詳細な説明】
【技術分野】
【０００１】
本発明は、床パネルの固定構造および固定方法に関する。
【背景技術】
【０００２】
特許文献１には、芯材の表裏両面にデッキ材が取り付けられた複数のデッキパネルを、互いに隣り合わせに並べながら置き基礎等の支持材上に架け渡して、所謂ウッドデッキを形成する技術が記載されている。
特許文献１においてデッキパネルは、支持材上に単に並べられるだけであるが、例えば特許文献２に記載のように、ネジ等の固定具を、デッキパネルの表面側から支持材に向かってねじ込んで、デッキパネルを支持材に固定する場合もある。
【先行技術文献】
【特許文献】
【０００３】
【特許文献１】特開平１１−１３２５９号公報
【特許文献２】特開２００８−５０８９７号公報
【発明の概要】
【発明が解決しようとする課題】
【０００４】
ところが、デッキパネルを支持材に固定する固定具の頭部が、デッキパネル表面側の四隅に露出してしまうと、意匠性や経年変化の面で有利とは言えないため、固定具の頭部をデッキパネルの表面側に露出させないようにしながら、デッキパネルを支持材に固定したいという要望があった。
また併せて、以上のようなデッキパネルを含む、パネル状に形成された床（以下、床パネル）を支持材に固定する技術として本発明を利用したいという要望があった。
【０００５】
本発明は上記事情に鑑みてなされたものであり、床パネルを支持材に対して確実に固定できるとともに、意匠性や経年変化の面においても優れる床パネルの固定構造および固定方法を提供することを目的とする。
【課題を解決するための手段】
【０００６】
請求項１に記載の発明は、例えば図１〜図１０に示すように、枠体３と、この枠体３の上面に固定された表面材２と、を備える床パネル１が、固定部材１０によって支持材４の上面に固定された床パネル１の固定構造であって、
四枚の前記床パネル１が、前記支持材４の上面に、互いに隣り合って角部１ａが寄り集まった状態となるように、かつ平面視十字状に隙間Ｓを空けた状態で並べられて配置されており、
前記固定部材１０は、四方に伸びる押さえ部１１を備えて平面視十字状に形成され、前記押さえ部１１は、前記隙間Ｓに挿入可能な幅寸法に設定されており、
前記枠体３は、前記床パネル１の前記角部１ａを構成する四角筒状の第一枠材３ａを有しており、
前記四枚の床パネル１における前記角部１ａが寄り集まった位置には、前記隙間Ｓから挿入された前記固定部材１０が回転可能な回転スペースＴと、前記固定部材１０の回転動作を止めるストッパー（第一側壁３３、中間壁３５）と、が設けられており、
前記回転スペースＴ内で回転して前記ストッパーに接した状態の前記固定部材１０は、平面視において前記隙間Ｓに対して斜め向きになった状態で、かつ前記押さえ部１１と前記支持材４との間に前記第一枠材３ａの底板部３１を介在させた状態で、固定具１３によって前記支持材４に固定されていることを特徴とする。
【０００７】
請求項１に記載の発明によれば、四枚の床パネル１における角部１ａが寄り集まった位置には、隙間Ｓから挿入された固定部材１０が回転可能な回転スペースＴと、固定部材１０の回転動作を止めるストッパーと、が設けられており、
回転スペースＴ内で回転してストッパーに接した状態の固定部材１０は、平面視において隙間Ｓに対して斜め向きになった状態で、かつ押さえ部１１と支持材４との間に第一枠材３ａの底板部３１を介在させた状態で、固定具１３によって支持材４に固定されているので、固定具１３を支持材４に固定するのに伴って、四枚の床パネル１の角部１ａを支持材４に押し付けて固定することができる。これによって、床パネル１を支持材４に対して確実に固定できる。また、一つの固定部材１０によって、四枚の床パネル１の角部１ａをいっぺんに支持材４に固定できるので施工性に優れる。
さらに、固定部材１０は、平面視十字状の隙間Ｓから挿入することができ、平面視において隙間Ｓに対して斜め向きになった状態で底板部３１に載せられているとともに、固定具１３によって支持材４に固定されているので、固定部材１０のほとんどを、第一枠材３ａの内部中空部に隠すことができる。そのため、例えば固定具１３が、床パネル１表面側の四隅に露出する場合に比して意匠性を向上させることができるとともに、経年変化もしにくくなる。
【０００８】
請求項２に記載の発明は、例えば図４，図９，図１０等に示すように、請求項１に記載の床パネル１の固定構造において、
前記第一枠材３ａは、
前記固定部材１０の前記押さえ部１１によって前記支持材４に押さえ付けられる前記底板部３１と、
前記表面材２に接する天板部３２と、
前記枠体３の外周面を構成する第一側壁３３と、
前記枠体３の内周面を構成する第二側壁３４と、
当該第一枠材３ａの内部中空部における前記第一側壁３３と前記第二側壁３４との間に位置する中間壁３５と、を備えており、
前記第一枠材３ａの長さ方向における第一端部３０ａにおいて、
前記第一側壁３３の端部は、前記回転スペースＴの確保に必要な分だけ、前記第一枠材３ａの端面から離間して配置されており、
前記中間壁３５の端部は、前記ストッパーとして機能しており、
前記第一枠材３ａの長さ方向における第二端部３０ｂにおいて、
前記第一側壁３３の端部は、前記回転スペースＴの確保に必要な分だけ、および／または、前記ストッパーとして機能するために必要な分だけ、前記第一枠材３ａの端面から離間して配置されており、
前記中間壁３５の端部は、前記回転スペースＴ確保に必要な分だけ、前記第一枠材３ａの端面から離間して配置されていることを特徴とする。
【０００９】
請求項２に記載の発明によれば、固定部材１０が、第一枠材３ａの長さ方向における第一端部３０ａと第二端部３０ｂのどちら側に配置された場合であっても、固定部材１０を回転させるための回転スペースＴを確保できるとともに、固定部材１０の回転動作を止めるためストッパーを確保することができる。したがって、床パネル１を支持材４に対してより確実に固定できる。
さらに、固定部材１０を、第一枠材３ａの長さ方向における第一端部３０ａと第二端部３０ｂを選ばずに設けることができるので施工性に優れる。すなわち、四枚の床パネル１の角部１ａが寄り集まった位置であれば、どこでも固定部材１０を設けることができる。
【００１０】
請求項３に記載の発明は、例えば図１〜図５等に示すように、請求項２に記載の床パネル１の固定構造において、
前記床パネル１は、平面視四角形状に形成されており、
前記枠体３は、平行する一対の前記第一枠材３ａと、これら一対の第一枠材３ａにおける長さ方向両端部間に設けられる一対の第二枠材３ｂと、を有して四角枠状に形成されており、
前記一対の第一枠材３ａのうち一方の前記第一枠材３ａにおける前記第一端部３０ａと、他方の前記第一枠材３ａにおける前記第一端部３０ａとが、前記枠体３における対角線上に位置していることを特徴とする。
【００１１】
請求項３に記載の発明によれば、四角枠状に形成された枠体３における一対の第一枠材３ａのうち一方の第一枠材３ａにおける第一端部３０ａと、他方の第一枠材３ａにおける第一端部３０ａとが、枠体３における対角線上に位置しているので、水平方向において床パネル１を１８０度回転させても支障なく施工できる。
【００１２】
請求項４に記載の発明は、例えば図７〜図９に示すように、請求項２または３に記載の床パネル１の固定構造において、
前記四枚の床パネル１は、前記第一枠材３ａの前記第一端部３０ａによって構成された前記角部１ａ同士が寄り集まった状態となるように配置されていることを特徴とする。
【００１３】
請求項４に記載の発明によれば、四枚の床パネル１は、第一枠材３ａの第一端部３０ａによって構成された角部１ａ同士が寄り集まった状態となるように配置されているので、四枚の床パネル１における第一枠材３ａの、第一端部３０ａ側に位置する中間壁３５の端部をストッパーとして機能させて固定部材１０を回転させることができる。そのため、四枚の床パネル１が、第一枠材３ａの第一端部３０ａによって構成された角部１ａ同士が寄り集まった状態となるように配置された場合であっても、固定部材１０によってこれら四枚の床パネル１を支持材４に確実に固定することができる。
【００１４】
請求項５に記載の発明は、例えば図７，図８，図１０に示すように、請求項２または３に記載の床パネル１の固定構造において、
前記四枚の床パネル１は、前記第一枠材３ａの前記第二端部３０ｂによって構成された前記角部１ａ同士が寄り集まった状態となるように配置されていることを特徴とする。
【００１５】
請求項５に記載の発明によれば、四枚の床パネル１は、第一枠材３ａの第二端部３０ｂによって構成された角部１ａ同士が寄り集まった状態となるように配置されているので、四枚の床パネル１における第一枠材３ａの、第二端部３０ｂ側に位置する第一側壁３３の端部をストッパーとして機能させて固定部材１０を回転させることができる。そのため、四枚の床パネル１が、第一枠材３ａの第二端部３０ｂによって構成された角部１ａ同士が寄り集まった状態となるように配置された場合であっても、固定部材１０によってこれら四枚の床パネル１を支持材４に確実に固定することができる。
【００１６】
請求項６に記載の発明は、例えば図４に示すように、請求項２または３に記載の床パネル１の固定構造において、
前記四枚の床パネル１は、前記第一枠材３ａの前記第一端部３０ａによって構成された前記角部１ａと、前記第一枠材３ａの前記第二端部３０ｂによって構成された前記角部１ａとが交互に隣り合って寄り集まった状態となるように配置されており、
前記第一枠材３ａの前記第一端部３０ａにおける前記中間壁３５の端部が、前記固定部材１０の回転動作のストッパーとして機能していることを特徴とする。
【００１７】
請求項６に記載の発明によれば、四枚の床パネル１は、第一枠材３ａの第一端部３０ａによって構成された角部１ａと、第一枠材３ａの第二端部３０ｂによって構成された角部１ａとが交互に隣り合って寄り集まった状態となるように配置されており、第一枠材３ａの第一端部３０ａにおける中間壁３５の端部が、固定部材１０の回転動作のストッパーとして機能しているので、四枚の床パネル１は、第一枠材３ａの第一端部３０ａによって構成された角部１ａと、第一枠材３ａの第二端部３０ｂによって構成された角部１ａと、が交互に隣り合って寄り集まった状態となるように配置された場合であっても、固定部材１０によってこれら四枚の床パネル１を支持材４に確実に固定することができる。
【００１８】
請求項７に記載の発明は、例えば図４，図９，図１０等に示すように、請求項１〜６のいずれか一項に記載の床パネル１の固定構造において、
前記固定部材１０は、前記回転スペースＴにおいて時計回りに回転可能であり、
前記固定具１３は、前記固定部材１０の中心軸（中心部１２）を貫通して前記支持材４に固定されていることを特徴とする。
【００１９】
請求項７に記載の発明によれば、固定部材１０は、回転スペースＴにおいて時計回りに回転可能であり、固定具１３は、固定部材１０の中心軸を貫通して支持材４に固定されているので、固定具１３の締め付けに伴って固定部材１０をストッパーとして機能する壁（第一側壁３３、中間壁３５）に対して強く押し付けることができ、固定具１３を締め付けやすくなる。
【００２０】
請求項８に記載の発明は、例えば図１〜図１０に示すように、請求項１〜７のいずれか一項に記載の床パネル１の固定構造を施工する方法であって、
前記四枚の床パネル１を、前記支持材４の上面に、互いに隣り合って角部１ａが寄り集まった状態となるように、かつ平面視十字状に隙間Ｓを空けた状態で並べて配置した後に、
前記固定部材１０を、前記平面視十字状の隙間Ｓから挿入し、
前記第一枠材３ａに確保された前記回転スペースＴで前記固定部材１０を、前記ストッパー（第一側壁３３、中間壁３５）に接してその回転動作が止まるまで回転させることによって、前記固定部材１０を、平面視において前記隙間Ｓに対して斜め向きになった状態にし、
前記固定部材１０の前記押さえ部１１を前記底板部３１に載せた後に、前記固定部材１０を前記固定具１３によって前記支持材４に固定することを特徴とする。
【００２１】
請求項８に記載の発明によれば、固定部材１０を、平面視十字状の隙間Ｓから挿入し、第一枠材３ａに確保された回転スペースＴで固定部材１０を、ストッパーに接してその回転動作が止まるまで回転させることによって、固定部材１０を、平面視において隙間Ｓに対して斜め向きになった状態にし、固定部材１０の押さえ部１１を底板部３１に載せた後に、固定部材１０を固定具１３によって支持材４に固定するだけで、四枚の床パネル１を支持材４に固定することができるので、四枚の床パネル１の寄り集まった角部１ａをいっぺんに支持材４に固定でき、例えば一枚の床パネルの四隅をビス等によって支持材に固定する場合に比して施工性を向上させることができる。
【発明の効果】
【００２２】
本発明によれば、床パネルを支持材に対して確実に固定できるとともに、意匠性や経年変化の面においても優れる。
【図面の簡単な説明】
【００２３】
【図１】複数の床パネルを並べた状態を示す平面図である。
【図２】床パネルを示しており、（ａ）は平面図であり、（ｂ），（ｃ）は側面図である。
【図３】床パネルの枠体を構成する第一枠材であり、（ａ）は第一枠材の第一端部を示す斜視図であり、（ｂ）は第一枠材の第二端部を示す斜視図である。
【図４】第一枠材の第一端部によって構成された角部と、第一枠材の第二端部によって構成された角部とが交互に隣り合って寄り集まった状態を示す断面図である。
【図５】床パネルの固定構造を示す断面図である。
【図６】床パネルの端部における固定構造を示す断面図である。
【図７】複数のデッキパネルを並べた状態を示す平面図である。
【図８】複数の床パネルの角部が寄り集まった状態の他の一例を示す断面図である。
【図９】第一枠材の第一端部によって構成された角部同士が寄り集まった状態を示す拡大断面図である。
【図１０】第一枠材の第二端部によって構成された角部同士が寄り集まった状態を示す拡大断面図である。
【発明を実施するための形態】
【００２４】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２５】
図１において符号１は、床パネルを示す。本実施形態における床パネル１は、所謂ウッドデッキ（デッキ床とも言う）を構成するデッキパネルである。デッキパネルである床パネル１は、平面視四角形状に形成され、枠体３と、この枠体３の上面に固定された表面材２と、を備える。
ウッドデッキを形成する場合において床パネル１は少なくとも四枚用いられており、これら四枚の床パネル１が固定部材１０によって支持材４の上面に固定されている。より詳細には、四枚の床パネル１が、支持材４の上面に、互いに隣り合って直角な角部１ａが寄り集まった状態となるように、かつ平面視十字状に隙間Ｓを空けた状態で並べられて配置されている。
そして、四枚の床パネル１における直角な角部１ａが寄り集まった位置には、隙間Ｓから挿入された固定部材１０が回転可能な回転スペースＴと、固定部材１０の回転動作を止めるストッパー（後述する第一側壁３３、中間壁３５）と、が設けられている。
なお、支持材４は、複数の床パネル１が架け渡される大引であり、複数の床パネル１の使用枚数に応じた本数が用いられる。
【００２６】
固定部材１０は、四方に伸びる押さえ部１１を備えて平面視十字状に形成され、押さえ部１１は、隙間Ｓに挿入可能な幅寸法に設定されている。そして、この固定部材１０は、四枚の床パネル１における各々の角部１ａが寄り集まった位置に形成される回転スペースＴ内で回転可能とされている。特に、回転スペースＴ内において時計回りに回転可能である。
また、この固定部材１０は、高さのある立体十字構造体とされており、押さえ部１１同士が交差する位置にある中心部１２を、固定部材１０を支持材４に固定するための固定具１３が貫通する。中心部１２には、固定具１３を挿通させるための貫通孔が形成されている。
貫通孔の内径は、固定具１３の外径と略等しく設定されている。本実施形態においては、固定具１３を貫通孔に通した時に、ややきつく感じる程度とされており、固定具１３を貫通孔によって保持できる程度が好ましい。このように固定具１３を固定部材１０に装着させた状態で保持できれば、固定具１３をつまんで固定部材１０を移動させたり、回転させたりできる。また、このように固定具１３を固定部材１０に装着させた状態で保持できる場合であっても、固定具１３を支持材４側に移動させて、捩じ込むなどして支持材４に固定することができる。
なお、本実施形態の固定部材１０は、押出成形可能な金属によって形成されているが、その材質は樹脂であってもよい。
また、固定部材１０のサイズは、隙間Ｓから回転スペースＴ内に挿入でき、回転スペースＴ内で回転動作を行えればよく、適宜変更可能である。例えば押さえ部１１の、中心部１２からの延出長さを長くしてもよい。
【００２７】
本実施形態における固定具１３としては、頭部と軸部とを備え、軸部のうちの下部に雄ネジが形成されたビスが採用されている。また、本実施形態における支持材４は金属製であるため（後述する）、固定具１３として採用されるビスは、ドリル付きのものが好適である。また、ビスだけに限られるものではなく、釘やボルト・ナットも適宜採用してよいものとする。ボルト・ナットを採用する場合は、ボルトが通る位置に通し孔が必要となる。
【００２８】
表面材２は、矩形板状に形成されたデッキ材２であり、床パネル１において複数のデッキ材２が等間隔に離間配設された状態となっている。複数のデッキ材２は、図６に示すように、取付金具２ａによって枠体３に取り付けられるとともに互いに接合された状態となる。そのため、複数のデッキ材２は、互いに接合されることで複合し、一つの表面材２を構成した状態となっている。つまり、表面材２は、本実施形態のように複数の材を複合した複合体であってもよいし、一つの材からなる単一のものであってもよい。
なお、デッキ材である表面材２は、例えばセルロース材を粉砕して得られた木粉と樹脂とが混錬・溶融された材料が押出成形されてなる木質様成形品によって構成され、図５，図６に示すように複数の中空部２ｂを備えた状態に形成されている。
【００２９】
枠体３は、図２に示すように、平行する一対の第一枠材３ａと、これら一対の第一枠材３ａにおける長さ方向両端部間に設けられる一対の第二枠材３ｂと、一対の第二枠材３ｂにおける中央部同士の間に架け渡された補助桟材３ｃと、を有して四角枠状に形成されている。
第一枠材３ａは、床パネル１の四つの角部１ａを構成するように設けられている。すなわち、一対の第二枠材３ｂは、一対の第一枠材３ａにおける側面同士の間に架け渡されて設けられている。そのため、床パネル１の四つ角には、一対の第一枠材３ａの長さ方向両端部が位置した状態となる。
なお、枠体３が図２に示すように正方形である場合、一対の第二枠材３ｂよりも一対の第一枠材３ａの方が長尺に設定されている。
【００３０】
第一枠材３ａは、スチールやアルミニウム等の金属材料が押出成形されることで四角筒状に形成されており、底板部３１と、天板部３２と、第一側壁３３と、第二側壁３４と、中間壁３５と、を備える。そして、押出成形品であるため、長さ方向両端部は開口している。
また、このような第一枠材３ａの長さ方向一方の端部を第一端部３０ａとし、長さ方向他方の端部を第二端部３０ｂとする。
なお、四角枠状の枠体３が形成されるに当たって、一対の第一枠材３ａのうち一方の第一枠材３ａにおける第一端部３０ａと、他方の第一枠材３ａにおける第一端部３０ａとが、枠体３における対角線上に位置している。すなわち、第二端部３０ｂ同士も対角線上に位置した状態となっている。
【００３１】
底板部３１は、支持材４の上面に接し、固定部材１０によって支持材４に押さえ付けられる部分である。この底板部３１の長さ寸法は、第一枠材３ａ全体の長さ寸法と等しく設定されている。
【００３２】
天板部３２は、表面材２の裏面（下面）に接し、ビス等の固定具によって表面材２に固定されている。この天板部３２の長さ寸法は、第一枠材３ａ全体の長さ寸法と等しく設定されている。
【００３３】
第一側壁３３は、外側に配置されて枠体３の外周面を構成している。この第一側壁３３の長さ寸法は、第一枠材３ａ全体の長さ寸法よりも短く設定されており、第一端部３０ａ側および第二端部３０ｂ側の双方の端部が、第一枠材３ａの端面から離間して配置されている。
【００３４】
第二側壁３４は、第二枠材３ｂの端面が接する部分であり、内側に配置されて枠体３の内周面を構成している。この第二側壁３４の長さ寸法は、第一枠材３ａ全体の長さ寸法と等しく設定されている。
なお、この第二側壁３４のうち、第二枠材３ｂの端面が接する位置に、ビス止め用のビス孔が形成されていてもよい。
【００３５】
中間壁３５は、第一枠材３ａの内部中空部における第一側壁３３と第二側壁３４との間に位置している。より詳細に説明すると、中間壁３５は、第一側壁３３と第二側壁３４の双方に対して平行に配置されており、図３，図４に示すように、第二側壁３４よりも第一側壁３３に寄った位置に設けられている。すなわち、中間壁３５は、第一側壁３３と第二側壁３４との中央位置よりも第二側壁３４側に位置している。
また、この中間壁３５の長さ寸法は、第一枠材３ａ全体の長さ寸法よりも短く設定されている。第一端部３０ａ側の端部は、第一枠材３ａの端面から離間してはおらず、端面同士が揃って面一な状態となっている。第二端部３０ｂ側の端部は、第一枠材３ａの端面から離間して配置されている。
なお、中間壁３５における第二端部３０ｂ側の端部と、第一側壁３３における第二端部３０ｂ側の端部は、図３（ｂ），図４に示すように揃った状態となっている。すなわち、これら中間壁３５および第一側壁３３の端部は、第一枠材３ａにおける第二端部３０ｂ側の端面から離間する離間寸法が略等しく設定されている。
【００３６】
第一側壁３３および中間壁３５の長さ方向両端部は、固定部材１０の回転スペース確保と、固定部材１０の回転動作を止めるために必要な分だけ、第一枠材３ａの端面から離間または接近した箇所に位置している。
より詳細に説明すると、第一枠材３ａの長さ方向における第一端部３０ａにおいて、第一側壁３３の端部は、回転スペースＴの確保に必要な分だけ、第一枠材３ａの端面から離間して配置されている。つまり、固定部材１０の押さえ部１１の長さよりも長くなるように第一枠材３ａの第一端部３０ａ側の端面から離間している。
また、第一端部３０ａ側における中間壁３５の端部は、固定部材１０の回転軌道上に配置されており、これによって、固定部材１０の回転動作を止めるストッパーとして機能している。
一方、第一枠材３ａの長さ方向における第二端部３０ｂにおいて、第一側壁３３の端部は、回転スペースＴの確保に必要な分だけ、および／または、ストッパーとして機能するために必要な分だけ、第一枠材３ａの端面から離間して配置されている。すなわち、この第二端部３０ｂ側における第一側壁３３の端部は、第一枠材３ａの端面から離間して回転スペースＴを確保しつつ、固定部材１０の回転軌道上に位置するように設けられている。
また、第二端部３０ｂ側における中間壁３５の端部は、回転スペースＴ確保に必要な分だけ、第一枠材３ａの端面から離間して配置されている。つまり、固定部材１０の押さえ部１１の長さよりも長くなるように第一枠材３ａの第二端部３０ｂ側の端面から離間している。
【００３７】
以上のように構成された床パネル１は、図２に示すように、表面材２である各デッキ材の長手方向と、第一枠材３ａの長手方向が異なる方向となっている。
そのため、図１に示すように、表面材２の各デッキ材の向きを揃えた場合、四枚の床パネル１は、第一枠材３ａの第一端部３０ａによって構成された角部１ａと、第一枠材３ａの第二端部３０ｂによって構成された角部１ａとが交互に隣り合って寄り集まった状態となるように配置されることになる（図４参照）。
四枚の床パネル１が、図１，図４に示すように並べられて配置された場合は、第一枠材３ａにおける第一端部３０ａ側に位置する中間壁３５の端部がストッパーとして機能する。
なお、固定部材１０は隙間Ｓから挿入された時に、第二端部３０ｂ側に位置する第一側壁３３に接した状態となっている。このため、固定部材１０は、反時計回りに回転しない状態となっている。また、固定部材１０の挿入時には、第二端部３０ｂ側に位置する第一側壁３３に沿って挿入できるので、当該第二端部３０ｂ側に位置する第一側壁３３を、固定部材１０の挿入ガイドとして利用することができる。
【００３８】
続いて、支持材４である大引は、設置面５に立設された支持束６によって、設置面５の上方に支持されている。
より詳細に説明すると、設置面５はコンクリート造の基礎であり、支持束６は、基端部が設置面５に埋設されたアンカーボルトである。
また、大引である支持材４は、図５に示すように、その断面形状が所謂ハット型に形成されている。さらに、支持束６の上端部には、ハット型に形成された支持材４の下端部を受ける受けプレート７が固定されている。そして、支持材４は、その下端部がビス等の固定具によって受けプレート７に固定されており、これによって設置面５の上方に配置された状態となっている。
なお、支持材４は、上述のようにハット型に形成されているため、その内側の空間に、受けプレート７の上面から突出する支持束６の頭部（ナット）が納められた状態となっている。
そして、複数の床パネル１は、このように設置面５の上方に支持された支持材４の上面に設置されている。
【００３９】
なお、本実施の形態においては、設置面５はコンクリート造の基礎とし、支持束６はアンカーボルトとしたが、これに限られるものではなく、本発明の趣旨を逸脱しない範囲で適宜変更可能である。すなわち、例えば在来工法における床組みと同様に、地面に配置された束石上に床束を立設し、その上に大引を載せて支持するような構造を採用してもよい。
【００４０】
床パネル１の配置について、より詳細に説明すると、一枚の床パネル１が、間隔を空けて配置された二つの支持材４の上面間に架け渡されて配置される。したがって、例えば二枚の床パネル１を並べて配置する場合には、三つの支持材４が必要となる。さらに、支持材４の上面は、二枚の床パネル１を並べて配置できる程度の幅寸法（短辺方向の寸法：図５における左右の方向）に設定されている。
一方、支持材４の上面における長さ寸法は、支持材４の上面における長さ方向に沿って並べて配置される床パネル１の枚数に応じて設定されている。すなわち、支持材４の上面における長さ寸法に沿って二枚の床パネル１を並べて配置する場合には、支持材４の上面における長さ寸法は、床パネル１の二枚分に設定される。
したがって、四枚の床パネル１を、図１に示すように並べる際には、三つの支持材４が必要となる。そして、図１に示すように支持材４の上面に、互いに隣り合って角部１ａが寄り集まった状態となるように並べられて配置されている。また、この場合、四枚の床パネル１は、平面視十字状に隙間Ｓを空けた状態で並べられて配置されている。
【００４１】
なお、図６に示すように、ウッドデッキの両側端部も支持材４の上面に載せられて固定されている。すなわち、ウッドデッキの両側端部においては、支持材４の上面に一枚の床パネル１が載せられて固定される。なお、これは、支持材４の上面における短辺方向の場合であり、長辺方向には複数の床パネル１が載せられている。さらに、床パネル１は、当該床パネル１の下面と支持材４の側面に固定される断面Ｌ型の接続部材４ａによって支持材４に接続固定された状態となっている。
また、ウッドデッキの周縁部には、各床パネル１の第一側壁３３が露出した状態とならないように、化粧幕板８が取り付けられているものとする。
【００４２】
以上のような構成のウッドデッキを構築する場合は、まず、床パネル１を予め工場にて製造する（施工現場で製造してもよい）。また、固定部材１０も予め工場にて製造する。
続いて、現場にて、支持束６が埋設された状態となるように設置面５を形成する。支持束６は複数用いられ、大引である支持材４の長さ方向に間隔を空けて配置されている。
続いて、複数の支持束６のそれぞれの上端部に受けプレート７を取り付ける。
なお、受けプレート７は、上面を構成する板状部を有しており、アンカーボルトである支持束６の上端部に設けられた二つのナット間に挟まれた状態で支持束６に取り付けられている。したがって、二つのナットの高さ位置を調整することで、受けプレート７の高さ位置を調整できるようになっている。すなわち、大引である支持材４の高さ位置を調整することができる。
【００４３】
続いて、複数の支持束６のそれぞれの上端部に取り付けられた受けプレート７間に支持材４を架け渡し、ビス等の固定具により固定する。
大引である支持材４の本数は複数であり、上述のように使用される床パネル１の枚数に応じて決まる。本実施形態の場合は、図１に示すように縦横二枚ずつ、計四枚の床パネル１を用いるため、三本の支持材４を互いに間隔を空けて配置する。なお、支持束６および受けプレート７も、支持材４の位置に対応して配置することになる。
【００４４】
続いて、四枚の床パネル１を、図１に示すように、隣り合う支持材４の上面間に架け渡して、隣り合わせに並べて配置する。
この時、四枚の床パネル１を、支持材４の上面に、互いに隣り合って角部１ａが寄り集まった状態となるように、かつ平面視十字状に隙間Ｓを空けた状態で並べて配置する。また、表面材２の各デッキ材の長手方向が揃うようにして並べて配置する。
【００４５】
続いて、ウッドデッキの両側端部において、各床パネル１を、断面Ｌ型の接続部材４ａによって支持材４に接続固定する。
また、ウッドデッキの周縁部に、各床パネル１の第一側壁３３が露出した状態とならないように化粧幕板８を取り付ける。なお、化粧幕板８は、表面材２または枠体３に対して取り付けられている。
【００４６】
続いて、固定部材１０の貫通孔に固定具１３を通し、固定部材１０（貫通孔）によって固定具１３を保持した状態とする。
そして、固定具１３の頭部をつまんで固定部材１０を、平面視十字状の隙間Ｓから挿入する。これで、固定部材１０は、回転スペースＴ内に入った状態となる。
続いて、回転スペースＴで固定部材１０を、ストッパー（第二端部３０ｂ側に位置する第一側壁３３）に接してその回転動作が止まるまで回転させることによって、固定部材１０を、平面視において隙間Ｓに対して斜め向きにする。この時、固定部材１０の押さえ部１１が、各第一枠材３ａの底板部３１の上面に載った状態となる。
なお、以上のように固定部材１０によって固定具１３を保持できれば、当該工程における作業がやり易い。
【００４７】
固定部材１０の押さえ部１１を底板部３１に載せた後に、固定部材１０を固定具１３によって支持材４に固定する。すなわち、本実施形態における固定具１３は、ドリル付きのビスであるため、固定具１３を支持材４に向かって捩じ込んでいく。これに伴って、固定部材１０の押さえ部１１によって、各第一枠材３ａの底板部３１を支持材４に向かって強く押し付けることができる。
なお、固定部材１０を設けられない位置（ウッドデッキの周縁部に沿う位置であって、かつ床パネル１同士の角部１ａが隣り合う位置を指す）においては、上述のように接続部材４ａを用いて、床パネル１と支持材４との接続を行うものとする。
【００４８】
以上のようにして、ウッドデッキを構築することができる。
このような施工方法によれば、固定部材１０を、平面視十字状の隙間Ｓから挿入し、第一枠材３ａに確保された回転スペースＴで固定部材１０を、ストッパーに接してその回転動作が止まるまで回転させることによって、固定部材１０を、平面視において隙間Ｓに対して斜め向きになった状態にし、固定部材１０の押さえ部１１を底板部３１に載せた後に、固定部材１０を固定具１３によって支持材４に固定するだけで、四枚の床パネル１を支持材４に固定することができるので、四枚の床パネル１の寄り集まった角部１ａをいっぺんに支持材４に固定でき、例えば一枚の床パネルの四隅をビス等によって支持材に固定する場合に比して施工性を向上させることができる。
【００４９】
本実施の形態によれば、四枚の床パネル１における角部１ａが寄り集まった位置には、隙間Ｓから挿入された固定部材１０が回転可能な回転スペースＴと、固定部材１０の回転動作を止めるストッパーと、が設けられており、
回転スペースＴ内で回転してストッパーに接した状態の固定部材１０は、平面視において隙間Ｓに対して斜め向きになった状態で、かつ押さえ部１１と支持材４との間に第一枠材３ａの底板部３１を介在させた状態で、固定具１３によって支持材４に固定されているので、固定具１３を支持材４に固定するのに伴って、四枚の床パネル１の角部１ａを支持材４に押し付けて固定することができる。これによって、床パネル１を支持材４に対して確実に固定できる。また、一つの固定部材１０によって、四枚の床パネル１の角部１ａをいっぺんに支持材４に固定できるので施工性に優れる。
さらに、固定部材１０は、平面視十字状の隙間Ｓから挿入することができ、平面視において隙間Ｓに対して斜め向きになった状態で底板部３１に載せられているとともに、固定具１３によって支持材４に固定されているので、固定部材１０のほとんどを、第一枠材３ａの内部中空部に隠すことができる。そのため、例えば固定具１３が、床パネル１表面側の四隅に露出する場合に比して意匠性を向上させることができるとともに、経年変化もしにくくなる。
【００５０】
また、固定部材１０が、第一枠材３ａの長さ方向における第一端部３０ａと第二端部３０ｂのどちら側に配置された場合であっても、固定部材１０を回転させるための回転スペースＴを確保できるとともに、固定部材１０の回転動作を止めるためストッパーを確保することができる。したがって、床パネル１を支持材４に対してより確実に固定できる。
さらに、固定部材１０を、第一枠材３ａの長さ方向における第一端部３０ａと第二端部３０ｂを選ばずに設けることができるので施工性に優れる。すなわち、四枚の床パネル１の角部１ａが寄り集まった位置であれば、どこでも固定部材１０を設けることができる。
【００５１】
また、四角枠状に形成された枠体３における一対の第一枠材３ａのうち一方の第一枠材３ａにおける第一端部３０ａと、他方の第一枠材３ａにおける第一端部３０ａとが、枠体３における対角線上に位置しているので、水平方向において床パネル１を１８０度回転させても支障なく施工できる。
【００５２】
また、固定部材１０は、回転スペースＴにおいて時計回りに回転可能であり、固定具１３は、固定部材１０の中心軸を貫通して支持材４に固定されているので、固定具１３の締め付けに伴って固定部材１０をストッパーとして機能する壁（第一側壁３３、中間壁３５）に対して強く押し付けることができ、固定具１３を締め付けやすくなる。
【００５３】
また、四枚の床パネル１は、第一枠材３ａの第一端部３０ａによって構成された角部１ａと、第一枠材３ａの第二端部３０ｂによって構成された角部１ａとが交互に隣り合って寄り集まった状態となるように配置されており、第一枠材３ａの第一端部３０ａにおける中間壁３５の端部が、固定部材１０の回転動作のストッパーとして機能しているので、四枚の床パネル１は、第一枠材３ａの第一端部３０ａによって構成された角部１ａと、第一枠材３ａの第二端部３０ｂによって構成された角部１ａと、が交互に隣り合って寄り集まった状態となるように配置された場合であっても、固定部材１０によってこれら四枚の床パネル１を支持材４に確実に固定することができる。
【００５４】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
【００５５】
〔変形例１〕
図７に示す例は、上述の実施形態と同様に形成された床パネル１を九枚用いて構築されたウッドデッキである。
このウッドデッキでは、表面材２であるデッキ材の長手方向の向きが、隣り合う床パネル１同士で異なる方向となっている。このような場合は、中央に位置する床パネル１の四隅に対応する位置が、固定部材１０による固定箇所となる（図８参照）。換言すれば、四枚の床パネル１を一組とし、その組が四つある状態である。
なお、図８では補助桟材３ｃを省略しているものとする。
【００５６】
このように並べられた九枚の床パネル１の場合、隣り合う床パネル１に対して９０度回転した状態となっているため、第一枠材３ａの第一端部３０ａによって構成された角部１ａ同士が隣り合う箇所と、第一枠材３ａの第二端部３０ｂによって構成された角部１ａ同士が隣り合う箇所とが生じる。
【００５７】
図９は、第一枠材３ａの第一端部３０ａによって構成された角部１ａ同士が隣り合う箇所の拡大図である。このような場合は、各第一枠材３ａの第一端部３０ａ側に位置する中間壁３５の端部が、固定部材１０の回転動作を止めるストッパーとして機能している。
固定部材１０は、隙間Ｓから挿入された際に、固定部材１０の回転方向とは反対側にある中間壁３５の端面に接して、反時計回りの回転動作が規制されている。回転動作を行った際は、固定部材１０は、この固定部材１０の回転方向にある中間壁３５の端部側面に接して動作がストップされる。
このような変形例によれば、四枚の床パネル１が、第一枠材３ａの第一端部３０ａによって構成された角部１ａ同士が寄り集まった状態となるように配置されているので、四枚の床パネル１における第一枠材３ａの、第一端部３０ａ側に位置する中間壁３５の端部をストッパーとして機能させて固定部材１０を回転させることができる。そのため、四枚の床パネル１が、第一枠材３ａの第一端部３０ａによって構成された角部１ａ同士が寄り集まった状態となるように配置された場合であっても、固定部材１０によってこれら四枚の床パネル１を支持材４に確実に固定することができる。
【００５８】
図１０は、第一枠材３ａの第二端部３０ｂによって構成された角部１ａ同士が隣り合う箇所の拡大図である。このような場合は、各第一枠材３ａの第二端部３０ｂ側に位置する第一側壁３３の端部が、固定部材１０の回転動作を止めるストッパーとして機能している。
固定部材１０は、隙間Ｓから挿入された際に、固定部材１０の回転方向とは反対側にある第一側壁３３の側面に接して、反時計回りの回転動作が規制されている。回転動作を行った際は、固定部材１０は、この固定部材１０の回転方向にある第一側壁３３の端部に接して動作がストップされる。なお、当該第一側壁３３の端部が仮に第一枠材３ａの端面と面一に揃った状態だと、固定部材１０は回転できない。そのため、当該第一側壁３３の端部は、第一枠材３ａの端面から、回転スペースＴを確保するのに必要な分だけ離間している。
このような変形例によれば、四枚の床パネル１は、第一枠材３ａの第二端部３０ｂによって構成された角部１ａ同士が寄り集まった状態となるように配置されているので、四枚の床パネル１における第一枠材３ａの、第二端部３０ｂ側に位置する第一側壁３３の端部をストッパーとして機能させて固定部材１０を回転させることができる。そのため、四枚の床パネル１が、第一枠材３ａの第二端部３０ｂによって構成された角部１ａ同士が寄り集まった状態となるように配置された場合であっても、固定部材１０によってこれら四枚の床パネル１を支持材４に確実に固定することができる。
【００５９】
〔変形例２〕
図示はしないが、本変形例における床パネル１として、平面視直角三角形状のものが用いられている。
すなわち、上述の実施形態では、平面視正方形の床パネル１を用いているが、これに限られるものではなく、寄り集まる四つの角部１ａが直角に形成され、かつ当該角部１ａが第一枠材３ａの第一端部３０ａもしくは第二端部３０ｂによって構成されていればよい。
平面視直角三角形状に形成された四枚の床パネル１を、支持材４の上面に、互いに隣り合って角部１ａが寄り集まった状態となるように並べて配置すれば、平面視正方形状のウッドデッキ（床）や、平面視菱形状のウッドデッキ（床）を構築することができる。
また、寄り集まる四つの角部１ａが直角に形成されればよいので、この他にも、平面視十字状の床を構築することもできるし、その他の形状の床を構築することもできる。
【００６０】
〔変形例３〕
図示はしないが、本変形例における床パネル１として、住宅等の建物の床仕上げを行うための床用パネルが用いられている。この床用パネルには表面材２としてフローリング等の床材が採用されている。
また、支持材４は、床根太や、床梁等の構造材である。
床用パネルは枠体３を備えており、四枚の床用パネルが並んで配置されて、固定部材１０によって、床根太等の支持材４の上面に固定される。
このような本変形例によれば、固定具１３を支持材４に固定するのに伴って、押さえ部１１によって四枚の床パネル１の角部１ａをいっぺんに支持材４に押さえ付けて固定することができる。これによって、床用パネルを、固定部材１０によって支持材４の上面に確実に固定することができる。すなわち、床用パネルによって床面の仕上げを確実に行うことができる。
なお、床用パネル間の隙間Ｓには、この隙間Ｓを埋める乾式または湿式の目地材を設けることが望ましい。
【符号の説明】
【００６１】
１  床パネル
１ａ  角部
２  表面材
３  枠体
３ａ  第一枠材
３０ａ  第一端部
３０ｂ  第二端部
３１  底板部
３２  天板部
３３  第一側壁
３４  第二側壁
３５  中間壁
４  支持材
１０  固定部材
１１  押さえ部
１２  中心部（中心軸：押さえ部の交差箇所）
１３  固定具
Ｓ  隙間（床パネル１，１間）
Ｔ  回転スペース
【図１】
0006656981.tif 000002
【図２】
0006656981.tif 000003
【図３】
0006656981.tif 000004
【図４】
0006656981.tif 000005
【図５】
0006656981.tif 000006
【図６】
0006656981.tif 000007
【図７】
0006656981.tif 000008
【図８】
0006656981.tif 000009
【図９】
0006656981.tif 000010
【図１０】
0006656981.tif 000011